(57)【特許請求の範囲】
【請求項１】
複数の支持フランジ（２５）を有する圧力容器（１０）と、
前記圧力容器（１０）を取り囲み、前記圧力容器（１０）を支持するペデスタルブラケット（２０）と、
前記支持フランジ（２５）のそれぞれと前記ペデスタルブラケット（２０）との間にある滑り支持装置（３００）と、
を備え、
前記滑り支持装置（３００）のそれぞれが、前記圧力容器（１０）を半径方向に伸縮させるように構成され、
前記滑り支持装置（３００）のそれぞれが、
それぞれの支持フランジ（２５）に装着されるように構成された支点保持部（３１０）と、
前記支点保持部（３１０）に装着され、半径方向にほぼ垂直で、三角形の横断面と底面とを有する縦方向長さを有する支点支持部（３２０）と、
前記支点支持部（３２０）の前記縦方向長さとほぼ平行な長手方向長さを有するベースプレートブロック（３３０）と、
を備え、
前記ベースプレートブロック（３３０）は、縦方向の両端にある第１の端部および第２の端部と、前記第１の端部および前記第２の端部の間にあり、前記第１の端部および前記第２の端部の高さよりも低い高さを有する中間部とを有し、
前記ベースプレートブロック（３３０）は、前記ペデスタルブラケット（２０）に装着されて、前記支点支持部（３２０）を支持し、
前記支点支持部（３２０）の前記底面は半径方向に前記ベースプレートブロック（３３０）の前記中間部の上面に沿ってスライド可能である、
システム。
【請求項２】
前記支点保持部（３１０）は溝（３１４）が形成された底面を含む請求項１に記載のシステム。
【請求項３】
前記溝（３１４）は第１の半径（Ｒ３１０）を有する請求項２に記載のシステム。
【請求項４】
前記支点支持部（３２０）は、前記第１の半径（Ｒ３１０）とほぼ同一である半径（Ｒ３２０）を有する丸み付け上頂部を有する請求項３に記載のシステム。
【請求項５】
前記ベースプレートブロック（３３０）は、前記半径方向にほぼ垂直な縦方向長さを有し、その両端に第１の端部分および第２の端部分を有し、
前記第１の端部分は第１の高さ（ｈ１）を有し、第２の端部分（３３６）は第２の高さ（ｈ２）を有し、中央部分（３３４）が第３の高さ（ｈ３）を有する、
請求項１に記載のシステム。
【請求項６】
垂直運動抑制部（４００）を更に具備する請求項１に記載のシステム。
【請求項７】
圧力容器の支持フランジ（２５）に装着されるように構成された支点保持部（３１０）と、
前記支点保持部（３１０）に装着され、三角形の横断面と底面とを有する縦方向長さを有する支点支持部（３２０）と、
前記支点支持部（３２０）の前記縦方向長さとほぼ平行な長手方向長さを有するベースプレートブロック（３３０）と、
を備え、
前記ベースプレートブロック（３３０）は、縦方向の両端にある第１の端部および第２の端部と、前記第１の端部および前記第２の端部の間にあり、前記第１の端部および前記第２の端部の高さよりも低い高さを有する中間部とを有し、
前記ベースプレートブロック（３３０）は、前記支点支持部（３２０）を支持し、
前記支点支持部（３２０）の前記底面は前記ベースプレートブロック（３３０）の前記中間部の上面に沿ってスライド可能であり、
前記支点支持部（３２０）は、前記支点支持部（３２０）の前記縦方向長さにほぼ垂直な方向にスライド可能である、
滑り支持装置（３００）。
【発明の詳細な説明】
【技術分野】
【０００１】
本発明は、滑り支持装置及び滑り支持装置を使用するシステムに関する。
【背景技術】
【０００２】
従来の圧力容器を支持する１つの方法は、スカートによって圧力容器を支持することを含む。例えば、図１は、スカート１５により取り囲まれた従来の圧力容器１０を示す。スカート１５は、圧力容器１０及びペデスタルブラケット２０の双方に堅固に結合される。圧力容器内部の圧力及び熱負荷によって、圧力容器は伸縮する場合がある。そのような伸縮はスカート１５を撓ませるので、スカート１５は疲労を起こしやすい。
【先行技術文献】
【特許文献】
【０００３】
【特許文献１】米国特許第３，５８３，４２９号公報
【発明の概要】
【０００４】
本発明は、滑り支持装置及び滑り支持装置を使用するシステムを提供する。
【０００５】
一実施形態によれば、システムは、複数の支持フランジを有する圧力容器と、圧力容器を取り囲むペデスタルブラケットと、複数の支持フランジとペデスタルブラケットとの間にあり、圧力容器を半径方向に伸縮させるように構成された複数の滑り支持装置とを含んでもよい。
【０００６】
滑り支持装置は、支持フランジに装着されるように構成された支点保持部と、支点保持部に係合するように構成された支点支持部と、支点支持部を支持するように構成されたベースプレートブロックとを含んでもよい。
【図面の簡単な説明】
【０００７】
添付の図面と関連させた以下の詳細な説明から、本発明は更に明確に理解されるだろう。
【図１】図１はスカート型支持体を利用する従来の圧力容器を示した図である。
【図２】図２は一実施形態に係る滑り型支持装置により支持される圧力容器を示した図である。
【図３】図３は一実施形態に係る滑り支持装置と共に使用されてよい８つの支持フランジを示した圧力容器の平面図である。
【図４】図４は一実施形態に係る滑り支持装置を示した拡大図である。
【図５】図５Ａ〜図５Ｃは一実施形態に係る支点保持部を示した図である。
【図６】図６Ａ〜図６Ｃは一実施形態に係る支点支持部を示した図である。
【図７】図７Ａ〜図７Ｂは一実施形態に係るベースプレートブロックを示した図である。
【図８】図８Ａ及び図８Ｂは一実施形態に係る滑り支持装置を示した展開図である。
【図９】図９は一実施形態に係る垂直運動抑制部を示した図である。
【図１０】図１０は一実施形態に係る垂直運動抑制部を示した側面図である。
【発明を実施するための形態】
【０００８】
添付の図面を参照して実施形態を更に詳細に説明する。しかし、実施形態は多くの異なる形で実施されてもよく、本明細書に記載される実施形態に限定されると解釈されてはならない。以下の開示が徹底し且つ完全であり、発明概念を当業者に十分に伝達するように、実施形態は提供される。図中、明確にするため、層及び領域の厚さは誇張して示される。
【０００９】
明細書を通して、例えば、層、領域又は基板などの構成要素が別の構成要素「の上に載っている」、「に接続される」又は「に結合される」と説明される場合、その構成要素は他方の構成要素「の上に直接載っている」、「に直接接続される」又は「に直接結合される」状態であってもよいが、介在する層が存在してもよいことが理解されるだろう。これに対し、ある構成要素が別の構成要素「の上に直接載っている」、「に直接接続される」又は「に直接結合される」と説明される場合、介在する層は存在しないことが理解されるだろう。同じ図中符号は同様の要素を示す。本明細書において使用される場合の用語「及び／又は」は、そこに挙げられている項目のうち１つの項目、対応する項目又は少なくとも１つの項目の組み合わせを含む。
【００１０】
本明細書において、種々の部材、構成要素、領域、層及び／又は部分を説明するために、「第１の」、「第２の」などの用語が使用される。しかし、それらの用語により部材、構成要素、領域、層及び／又は部分が規定されてはならないことは明らかである。それらの用語は、単に１つの部材、構成要素、領域、層又は部分を別の部材、構成要素、領域、層又は部分と区別するために使用されるにすぎない。従って、「第１の」と説明される部材、構成要素、領域、層又は部分は、本発明の一般発明概念の教示から逸脱することなく第２の部材、構成要素、領域、層又は部分と説明されてもよい。
【００１１】
本明細書において、「下方」、「下部」、「底部」、「の上」、「上部」及び／又は「最上部」などの相対的用語は、図に示される１つの要素と別の要素との関係を説明するために使用されてもよい。相対関係を示す用語は、図に示される向きに加えて装置の種々の向きも含むことを意図する。例えば、図中の装置が反転された場合、他の要素の「上方」側にあると説明されている要素は、他の要素の「下方」側に位置することになるだろう。従って、この例で挙げた用語「上方」は、図の特定の向きに応じて「下方」及び「上方」の双方の向きを含んでもよい。
【００１２】
本明細書において使用される用語は実施形態を説明することのみを目的とし、本発明を限定することを意図しない。本明細書において、単数形は、特に明示して指示されない限り複数形も含むことを意図する。更に、本明細書において使用される場合の用語「具備する」は、そこに挙げられている特徴、数字、ステップ、動作、要素及び／又は構成要素の存在を特定するが、１つ以上の他の特徴、数字、ステップ、動作、要素、構成要素及び／又はそれらの集合の存在又は追加を除外しないことが理解されるだろう。
【００１３】
図２及び図３は、一実施形態に係る滑り型支持装置により支持された圧力容器を示した平面図及び側面図である。図示されるように、圧力容器１０はペデスタルブラケット２０により取り囲まれている。圧力容器１０は両端が開いた縦向きの円筒に類似していてもよい。圧力容器１０は原子炉圧力容器であってもよいが、実施形態は原子炉圧力容器に限定されない。ペデスタルブラケット２０は、圧力容器１０を取り囲むコンクリート製リングから構成されてもよい。ペデスタルブラケット２０は、ペデスタルブラケットの上面２０ａに埋め込まれた鋼板（図示せず）を含んでもよい。以下に説明されるように、鋼板は滑り支持装置３００の装着場所として機能してもよい。
【００１４】
図２及び図３に示されるように、圧力容器１０は、圧力容器１０の周囲に沿って等間隔で配置された８つの支持フランジ２５を含んでもよい。支持フランジ２５は、圧力容器１０の製造中に圧力容器１０と一体に形成されてもよいし、あるいは製造後に圧力容器１０に溶接されてもよい。前述のように、８つの支持フランジ２５の各々は圧力容器１０の周囲に沿って等間隔で配置されてもよい。例えば、各支持フランジは圧力容器１０の軸に関して約４５°の間隔で配置されてもよい。図２及び図３は、８つの支持フランジ２５を有する従来の圧力容器１０を示すが、実施形態はこれに限定されない。例えば、支持フランジの数は７つ以下又は９つ以上であってもよい。
【００１５】
各支持フランジ２５とペデスタルブラケット２０との間に滑り支持装置３００がある。図４に示されるように、各滑り支持装置３００は支点保持部３１０、支点支持部３２０及びベースプレートブロック３３０を含んでもよい。支点保持部３１０、支点支持部３２０及びベースプレートブロック３３０は、それぞれ低合金鋼から製造されてもよい。支点保持部３１０、支点支持部３２０及びベースプレートブロック３３０を製造するために使用されてもよい低合金鋼は、例えば、ＳＡ５０３及びＳＡ５０８などであるが、それらに限定されない。各支持フランジ２５の下方の各滑り支持装置３００は同一であるので、簡略にするため、滑り支持装置３００の１つについてのみ説明する。
【００１６】
図４、図５Ａ、図５Ｂ及び図５Ｃに示されるように、支点保持部３１０は、長さＬ３１０を有するかなり長くまっすぐな棒体に似ている。支点保持部３１０はほぼ平坦な上面３１２と、支点保持部３１０の底面に沿って形成された溝３１４とを含んでもよい。図５Ｂに示されるように、溝３１４は半径Ｒ３１０を有する円形の輪郭形状を有してもよい。支点保持部３１０の上面３１２は支持フランジ２５の底面に装着されてもよい。例えば、支点保持部３１２は支持フランジ２５に溶接されるか又は支持フランジ２５にボルト留めされてもよい。
【００１７】
図６Ａ、図６Ｂ及び図６Ｃは、支点支持部３２０を示す。支点支持部３２０は長さＬ３２０を有する棒に似ている。支点支持部３２０は、図６Ｂに示されるような丸みのある角部３２２及び３２４を有する三角形の横断面を有してもよい。例えば、支点支持部の下の角部３２４は丸み付けされてもよく、支点支持部の底面の平坦な部分はＬ３２０’の長さを有してもよい。更に、支点支持部の上の角部３２２はＲ３２０の半径を有するように丸み付けされてもよい。本実施形態において、支点支持部３２０の上の角部３２２の半径Ｒ３２０は、支点保持部３１０の溝３１４の半径Ｒ３１０とほぼ等しくなければならない。しかし、実施形態はそれに限定されない。例えば、半径Ｒ３２０は半径Ｒ３１０より小さくてもよい。
【００１８】
ベースプレートブロック３３０は多段ブロック構造に似ていてもよい。例えば、図７Ａ及び図７Ｂに示されるように、ベースプレートブロック３３０は第１の端部分３３２、第２の端部分３３６及び中央部分３３４を含んでもよい。第１の端部分３３２は、例えば、圧力容器１０の軸とほぼ平行な方向に規定される高さｈ１、圧力容器１０に対してほぼ横方向に規定される幅Ｗ１及び圧力容器１０にほぼ向かう方向に規定される幅Ｗ３３０を有するブロックに似ていてもよい。第２の端部分３３６は、例えば、圧力容器１０の軸とほぼ平行な方向に規定される高さｈ２、圧力容器１０に対してほぼ横方向に規定される幅Ｗ２及び圧力容器１０にほぼ向かう方向に規定される幅Ｗ３３０を有するブロックに似ていてもよい。
【００１９】
中央部分３３４は第１の端部分３３２を第２の端部分３３６に結合してもよく、同様に、高さｈ１及びｈ２より小さい高さｈ３、圧力容器１０に対してほぼ横方向に規定される幅Ｗ３及び圧力容器１０にほぼ向かう方向に規定される幅Ｗ３３０を有するブロックに似ていてもよい。中央部分３３４は低摩擦板３３９を含んでもよく、支点支持部３２０の底面がこの低摩擦板３３９に載置されてもよい。低摩擦板３３９は、例えば、黒鉛を含浸させた青銅板又はセラミック板であってもよい。低摩擦板３３９は自己潤滑板であってもよい。本明細書で使用される場合の「低摩擦板」は、０．１５以下の摩擦係数を有する板材である。
【００２０】
図８Ａ及び図８Ｂは、滑り支持装置３００の種々の要素を示した展開図である。図８Ａに示されるように、支点保持部３１０の上面３１２は、支持フランジ２５の底面に装着されてもよい。本実施形態によれば、支点保持部３１０は支持フランジ２５に溶接及び／又はボルト留めされてもよい。支点保持部３１０の長さＬ３１０が圧力容器１０の軸に対して横方向になるように、支点保持部３１０は支持フランジ２５に装着される。例えば、圧力容器の中心と一致する中心を有する水平面の円に接する線と支点保持部３１０の長さＬ３１０とが平行になるように、支点保持部３１０の向きは規定される。
【００２１】
支点保持部３１０の底部分は、支点支持部３２０の半径Ｒ３２０とほぼ等しい半径Ｒ３１０を有する溝３１４を含んでもよい。従って、滑り支持装置が組み立てられる場合、支点支持部３２０の上部は支点保持部３１０の溝３１４の中に滑り嵌めされてもよい。従って、支点支持部３２０と支点保持部３１０との結合部分は、それらの間に大きなモーメントを発生させない。
【００２２】
支点支持部３２０の底面は、ベースプレートブロック３３０の中央部分３３４の上面と接触してもよい。支点支持部３２０の底面と中央部分３３４との間の摩擦負荷を減少するために、中央部分は低摩擦板３３９を含んでもよい。例えば、中央部分３３４は黒鉛を含浸させた青銅板を含んでもよい。従って、圧力容器１０に関して半径方向にベースプレートブロック３３０の中央部分３３４が加える拘束力は最小限だろうと考えられる。
【００２３】
図８Ａに示されるように、支点支持部３２０の横断面は角部が湾曲した三角形に似ている。図８Ａに示されるように、支点支持部３２０の横断面の底部の平坦な部分は、圧力容器１０に向かう方向に規定されるベースプレートブロック３３０の長さＷ３３０より短い長さＬ３２０'を有する。更に、支点支持部３２０の軸方向長さは、図８Ｂに示されるように、中央部分の長さＷ３とほぼ等しいか又はそれよりわずかに短い長さＬ３２０を有する。
【００２４】
ベースプレートブロック３３０の底面３３８は、ペデスタルブラケット２０に装着されてもよい。前述のように、ペデスタルブラケットの上部は金属板を含んでもよい。金属板は、アンカーボルト又はスタッドを介してペデスタルブラケット２０に固着されてもよい。従って、ベースプレートブロック３３０をペデスタルブラケットの金属板に溶接することにより、ベースプレートブロック３３０はペデスタルブロック２０に堅固に装着されてもよい。実施形態はベースプレートブロック３３０をペデスタルブラケット２０に溶接するものとして説明されるが、実施形態はそれに限定されない。例えば、ベースプレートブロック３３０はペデスタルブラケット２０にボルト留めされてもよい。
【００２５】
圧力容器１０の自重は滑り支持装置３００を介してペデスタルブラケット２０へ伝達されてもよい。例えば、圧力容器１０の自重は、圧力容器１０から支持フランジ２５を介して滑り支持装置３００へ伝達されてもよく、支持フランジ２５から支点保持部３１０へ伝達され、支点保持部３１０から支点支持部３２０へ伝達され、支点支持部３２０からベースプレートブロック３３０へ伝達され、ベースプレートブロック３３０からペデスタルブラケット２０へ伝達されてもよい。
【００２６】
圧力容器１０が半径方向に膨張した場合、圧力容器１０の膨張によって、支持フランジ２５及び支点保持部３１０は圧力容器１０の中心から外方へ動くだろう。支点保持部３１０の動きは、支点支持部３２０をベースプレート３３０の中央部分３３４に沿って圧力容器１０の軸に対して半径方向に摺動させるだろう。しかし、ベースプレートブロック３３０の中央部分３３４には低摩擦板３３９が設けられてもよいため、支点支持部３２０は、圧力容器１０の動きに相対的に大きな抵抗を与えることなく、ベースプレートブロック３３０の中央部分３３４に沿って摺動するだけだろう。従って、滑り支持装置３００は、圧力容器１０の膨張によって大きな内部応力を発生することなく圧力容器１０を自在に膨張させる。これにやや似た理由により、滑り支持装置３００は、圧力容器１０の収縮によって大きな内部応力を発生することなく圧力容器１０を収縮させる。
【００２７】
滑り支持装置３００は圧力容器１０を半径方向に伸縮させるが、滑り支持装置３００は圧力容器を軸方向に回転させない。圧力容器１０の軸方向回転は、支点支持部３２０とベースプレートブロック３３０との相互作用によって阻止される。先に説明した通り、図８Ｂに示されるように、支点保持部３１０はベースプレートブロック３３０の中央部分３３４にあってもよい。支点支持部３２０がベースプレートブロック３３０の中央部分３３４に嵌合するように、中央部分３３４の長さＷ３は、支点支持部３２０の長さＬ３２０よりわずかに長くてもよい。従って、圧力容器１０にねじりモーメントが加えられると、圧力容器１０の回転によって、支点支持部３２０が回転してベースプレートブロック３３０の第１の端部分３３２及び第２の端部分３３６のうち一方の端部分に侵入するまで支持フランジ２５、支点保持部３１０及び支点支持部３２０が回転するだろう。しかし、ベースプレートブロック３３０はペデスタルブロック２０に装着されているので、支点支持部３２０の運動は停止され、その結果、圧力容器１０の更なる回転は阻止される。従って、滑り支持装置３００は圧力容器１０のねじり回転に対して著しく大きな抵抗を与える。
【００２８】
先に開示したように、滑り支持装置３００は圧力容器の垂直方向の動き及びねじれを抑制すると同時に、圧力容器が相対的に自由に伸縮することを可能にする。しかし、前述のように、滑り支持装置３００は、圧力容器１０の上方への移動又は転倒を抑止する抵抗力は与えない。
【００２９】
圧力容器１０の転倒又は上方への移動を阻止するために、追加の垂直運動抑制部を含むように滑り支持装置３００が変形されてもよい。図９及び図１０は、変形された滑り支持装置３００を示す。図９に示されるように、変形滑り支持装置３００は、支点保持部３１０、支点支持部３２０及びベースプレートブロック３３０に加えて垂直運動抑制部４００を含んでもよい。
【００３０】
垂直運動抑制部４００は、ベースプレートブロック３３０の両側に配置された２つの垂直側壁４１０、２つの垂直側壁４１０の間の垂直タイプレート４３０及び上部ブリッジプレート４２０を含んでもよい。垂直側壁４１０の底部は、ペデスタルブラケット２０の上面に結合されてもよい。例えば、垂直側壁４１０の底部は、ペデスタルブラケット２０に溶接又はボルト留めされてもよい。更に、垂直側壁４１０はベースプレートブロック３３０に溶接又はボルト留めされてもよいが、実施形態はこれに限定されない。例えば、垂直側壁４１０はベースプレートブロック３３０に溶接又はボルト留めされなくてもよい。
【００３１】
垂直側壁４１０は板材料から製造されてもよい。例えば、垂直側壁４１０はＳＡ５０８などの低合金鋼の板から形成されてもよい。しかし、実施形態はこれに限定されない。例えば、垂直側壁４１０は管鋼又は他の種々の形状の鋼部材から構成されてもよい。
【００３２】
垂直タイプレート４３０は垂直側壁４１０を結合するために設けられてもよい。例えば、垂直タイプレート４３０は垂直側壁４１０に溶接又はボルト留めされてもよい。図９に示されるように、垂直タイプレート４３０は、滑り支持装置３００の検査及び／又は保守を可能にする台形状の開口を有するように形成されてもよい。
【００３３】
ブリッジプレート４２０は垂直運動抑制部４００の上部に設けられてもよい。ブリッジプレート４２０は、支持フランジ２５の上面に配置された水平の板であってもよく、垂直側壁４１０に溶接又はボルト留めされてもよい。従って、滑り支持装置３００は圧力容器１０の上方への移動及び／又は転倒を防止するように変形されてもよい。垂直運動抑制部４００はブリッジプレート４２０を含むものとして説明されるが、実施形態はこれに限定されない。例えば、プレートを使用するのではなく、垂直運動抑制部を補剛し且つ補強するために、ブリッジプレート４２０の代わりに管鋼又はＷ字形部材が設けられてもよい。
【００３４】
図２及び図３に示されるように、滑り支持装置３００は圧力容器の周囲に沿って対称に設けられてもよい。各滑り支持装置３００は、図４に示されるように、支点保持部３１０、支点支持部３２０及びベースプレートブロック３３０を含んでもよい。支点支持部３２０は、ペデスタルブラケット２０に装着されるベースプレートブロック３３０の上部に直接載置されてもよい。支点保持部３１０の形状及び圧力容器１０の重量は、支点支持部３２０の垂直運動を抑制し且つ支点支持部３２０を圧力容器１０に確実に結合させる。圧力容器１０の軸方向回転を阻止するために、各支点支持部３２０はベースプレートブロック３３０の第１の端部分３３２と第２の端部分３３６との間に配置される。支点支持部３２０は、垂直方向（下向き）荷重を圧力容器１０からベースプレートブロック３３０へ伝達してもよい。
【００３５】
滑り支持装置３００は垂直運動抑制部４００を更に含むように変形されてもよい。垂直運動抑制部は２つの垂直側壁４１０、タイプレート４３０及びブリッジプレート４２０を含んでもよい。２つの垂直側壁４１０はベースプレートブロック３３０の側部に配設されてもよく、ボルト留め又は溶接によりペデスタルブラケット２０に装着されてもよい。更に、２つの垂直側壁４１０はベースプレートブロック３３０に装着されてもよい。タイプレート４３０は２つの垂直側壁４１０に結合されてもよく、滑り支持装置３００を検査できるように開口として形成された台形部分を有してもよい。ブリッジプレート４２０は垂直側壁４１０に結合されてもよく、支持フランジ２５の上方に配置されてもよい。従って、垂直運動抑制部４００は圧力容器１０の上方への移動又は転倒を防止してもよい。
【００３６】
本発明の実施形態を参照して実施形態を特定して示し且つ説明したが、添付の特許請求の範囲の精神及び範囲から逸脱せずに形態及び詳細に関して種々の変更が実施されてもよいことが当業者には理解されるだろう。
【符号の説明】
【００３７】
１０    圧力容器
１５    スカート
２０    ペデスタルブラケット
２５    支持フランジ
２０ａ    ペデスタルブラケットの上面
３００    滑り支持装置
３１０    支点保持部
３１２    支点保持部の上面
３１４    支点保持部の溝
３２０    支点支持部
３２２    支点支持部の上の角部
３２４    支点支持部の下の角部
３３０    ベースプレートブロック
３３２    ベースプレートブロックの第１の端部分
３３４    ベースプレートブロックの中央部分
３３６    ベースプレートブロックの第２の端部分
３３８    ベースプレートの下面
３３９    低摩擦板
ｈ１    ベースプレートブロックの第１の端部の高さ
ｈ２    ベースプレートブロックの第２の端部の高さ
ｈ３    ベースプレートブロックの中央部分の高さ
Ｌ３１０    支点保持部の長さ
Ｌ３２０    支点支持部の長さ
Ｌ３２０’    長さ
Ｒ３１０    半径
Ｒ３２０    半径
Ｗ１    ベースプレートブロックの第１の端部の幅
Ｗ２    ベースプレートブロックの第２の端部の幅
Ｗ３    ベースプレートブロックの中央部分の幅
Ｗ３３０    ベースプレートブロックの幅
４００    垂直運動抑制部
４１０    垂直運動抑制部の垂直側壁
４２０    上部ブリッジプレート
４３０  垂直運動抑制部の垂直タイプレート
【図１】
0005536585.tif 000002
【図２】
0005536585.tif 000003
【図３】
0005536585.tif 000004
【図４】
0005536585.tif 000005
【図５】
0005536585.tif 000006
【図６】
0005536585.tif 000007
【図７】
0005536585.tif 000008
【図８】
0005536585.tif 000009
【図９】
0005536585.tif 000010
【図１０】
0005536585.tif 000011